(57)【要約】【課題】レポートや雑記帳など目次が記載されていない物になると探したいページに素早くたどり着ことが出来ず、市販されている粘着性のある物を使用したり、各自いろいろ工夫をこらしている。その中で、市販品の粘着性のある物を使用した場合は、規程の用紙寸法の収まらずその部分が飛び出してしまうなど、整理するときに不便である。それらを防ぐことができる道具を作ることが目的である。【解決手段】１つの項目が１０ページある場合に、見出し・タイトルを作り書き込みをしたい場合、押さえ金具（３）を最初に動かし、用紙押さえ金具（１３）によって用紙に圧力を掛け続けることが出来、コの字型刃（６）により、用紙にコの字型の切り込みを入れることが可能で、また、コの字型刃（６）を３分割にしたことにより、切り込みの入った部分の処理が手で簡単に行う事が出来、その部分に見出し又はタイトルを記入する。【選択図】  図１
2009039799.tif 000002
【特許請求の範囲】
【請求項１】
受け台と、この受け台の上端側より立ち上がる保持構体との間に差し込み可能な部分を有し、この保持構体と一連に作動し昇降可能に収容されている用紙押さえ金具、コの字型刃を保持する軸ホルダーとを具備してなるものであって、同軸にありながら用紙押さえ金具が最初に用紙を押さえ続け、続いてコの字型刃が作動するもので、コの字型刃自体を３分割にし隙間を設けたことを特徴とする用紙端除去具。
【発明の詳細な説明】
【技術分野】
【０００１】
本発明は、用紙等の端の部分をコの字型の刃に依り切り込みを入れ、見出し用スペースを作るための器具に関するものである。
【背景技術】
【０００２】
従来の物は、用紙本来を加工するのでは無く、後から用紙の端等に粘着性の有るものを貼り付けるなどをして使用しているものが多かった。したがって用紙本来の寸法より大きくなり、整理又は本棚などに入れる時などに不便であるし、又、それが破損や紛失したりして本来の機能や役割が欠けてしまっていた。
【特許文献１】特開２００４―００９２３６
【発明の開示】
【発明が解決しようとする課題】
【０００３】
本発明は、その欠点をなくすために、逆の発想から考え、用紙本体にコの字型の刃を用いてその部分の端を簡単に且つ、きれいに除去し仕上げることを製本されたものや１枚の用紙にも同様の加工が施せるようなことを課題として研究をすすめた。
【課題を解決するための手段】
【０００４】
本発明は、単なるコの字型の刃を用紙に対して垂直に切り込みを入れようとする場合には、用紙への抵抗が大きくなりそれによって用紙が変形又は破損することがあり得るため、最初、押さえ金具（３）に力を入れた場合、その力は用紙を押さえる用紙押さえ金具（１３）に働き一定の力で用紙を固定し続け、尚且つその力はコの字型の刃（６）に作動する。その刃の中でも作動順位は、左右の両刃続いて中心刃の順で作動する。これは左右の両刃に対して中心刃を短く設定してあるためにこの順序で作動可能である。又、左右の両刃でも先端角を鋭角にし尚且つ中心刃に向かって傾斜を持たせてある。中心刃では、左右の先端角を鋭角にし、中心に向かって傾斜を持たせてある。これは、用紙に対して垂直に切り込みを入れる時に抵抗を最小限に押さえ、用紙押さえ金具（１３）が用紙を固定させていることに依り安定した動作を可能にしている。
又、左右の刃と中心刃は、一体の物でも良いができれば分割していた方が良い。これは、用紙端除去後に、除去された端の用紙の処分に関わることで、左右の刃と中心刃の間に隙間が有ることに依って、切り込みを入れた端の用紙が本体の用紙と完全に切断されていないため、これを取り出して簡単に手で処分する事が出来る。
【発明の効果】
【０００５】
本発明は以上のような構成だから、用紙に圧力を掛けながら押さえているため、コの字型刃による用紙に切り込みも安定して１枚からでも行うことができるし、また作業終了後において、用紙の切り込みが入った部分を１枚づつ手でつまみ簡単に取り除き処理する事ができるようになり、ちらかることもなく後始末が簡単に行えるようになった。
また、これにより用紙などに見出しを作ることが出来、整理し易くなった。
【発明を実施するための最良の形態】
【０００６】
図示した用紙端除去具を実施するために、一例として、１つの項目が１０ページある場合ですが、１から９ページまでの用紙を揃えて受け台（１）と支え金具（２）との間の空間に受け台（１）で用紙止め用に段差が付いている所まで差し込み、そのまま用紙が用紙押さえ金具（１３）によって固定されるまで手で押さえている。
押さえ金具（３）に力を加えて下方に動かすと、その力は押さえ金具作動用シリンダー（１６）に伝わる。
押さえ金具（３）に両端が固定されている押さえ金具作動用シリンダー（１６）と、同じく、押さえ金具（３）に両端が固定されているコの字型刃作動用シリンダー（８）は支え金具（２）の上部の部分を貫通して上下に運動可能の枠を造って有るため、ここで、押さえ金具（３）に力を加えて下方に動かすと、テコの原理が作用し、コの字型刃作動用シリンダー（８）は下に動くことになる。また、押さえ金具作動用シリンダー（１６）の両端に押さえ金具作動用バネ（１７）が巻かれている、この押さえ金具作動用バネ（１７）によって滑らかな動きとより強い力が働くことになる。
押さえ金具作動用シリンダー（１６）から、伝わった力は、コの字型刃作動用シリンダー（８）と一体の中心シリンダー（４）、用紙押さえ用シリンダー（１０）に伝わり、下方に動き出す。両者の中でも中心シリンダー（４）と一体のコの字型刃（６）よりも用紙作動用シリンダー（９）と一体の用紙押さえ用シリンダー（１０）、用紙押さえ金具（１３）の方が受け台（１）までの距離を短く設定してあるため、同じ距離を動いても、受け台（１）上に有る用紙に最初に近づくのは、用紙作動用シリンダー（９）と一体の用紙押さえ用シリンダー（１０）、用紙押さえ金具（１３）の方である。
ここで、差し込まれた用紙は、手によって固定されているが、押さえ金具作動用シリンダー（１６）から、伝わった力は、コの字型刃作動用シリンダー（８）、中心シリンダー（４）と達し、用紙作動用シリンダー（９）と一体の用紙押さえ用シリンダー（１０）、用紙押さえ金具（１３）によって徐々に圧力が掛けられていく。これは、用紙作動用シリンダー（９）は用紙押さえ用シリンダー（１０）内を貫通しており、また、用紙作動用シリンダー押さえ固定ピン（１１）が、用紙作動用シリンダー（９）内を上下稼動が出来るよう空洞になっているので、しかも、用紙作動用シリンダー押さえ固定ピン（１１）の両端を用紙押さえ用シリンダー（１０）によって固定させ、用紙押さえ用シリンダー（１０）内をピストンのように上下稼動を可能にし、また、用紙作動用シリンダー（９）の先端の部分に、用紙作動用シリンダー押さえ固定ピン（１１）とバネ押さえリング（１５）との間に用紙作動用バネ（１２）が巻かれている。これにより用紙作動用シリンダー（９）の先端部分が用紙押さえ用シリンダー（１０）内を下方に動き、用紙押さえ金具（１３）が、用紙を押さえ続けるが、固定されている用紙作動用シリンダー押さえ固定ピン（１１）により、用紙作動用バネ（１２）が収縮し続けるため、用紙に対いて、圧力を滑らかに掛け続ける事ができと共に、用紙押さえ金具（１３）の用紙接地面に用紙押さえゴム（１４）が貼り付けてあり、これにより用紙のずれが防止されることにもなる。
以上の理由から、用紙に圧力が掛け始まると、手を離しても用紙は押さえ続けられるのである。
次に、押さえ続けられた用紙に、中心シリンダー（４）から出ているコの字型刃（６）が接し、用紙に切り込みを入れていく事になるが、受け台（１）にコの字型刃（６）と同じ形状でやや大きい空洞をコの字型刃（６）の直下に有し、コの字型刃（６）が用紙に切り込みを入れ終えてそのままその空洞の中に、コの字型刃（６）の一部が入ることにより、用紙の枚数に左右されることなく切れ込みを入れ、尚かつ、コの字型刃（６）を保護する役目も持つ、また、受け台（１）にコの字型刃（６）の（６ａ）の中心と両端に当たる場所に各１個づつそれと等間隔に左右１個づつ合計５個の三角形の目印を付けてあることにより、見当が付けやすくなる。
ここで、コの字型刃（６）であるが、コの字型刃（６）自体にも大きさ、刃の形状が違う３分割された（６ａ）、（６ｂ）、（６ｃ）がそれぞれ隙間を空けて、コの字型刃固定カバー（５）に差し込まれ固定されている。
この、コの字型刃（６）に於いて用紙に対してコの字型刃（６）全体が一度に垂直に入った場合は抵抗力が大きくて、用紙がづれたり、切り込みがまばらになる事が有り得るため、コの字型刃（６）自体を（６ａ）、（６ｂ）、（６ｃ）と３分割にし、切り込みを入れて行く作動順位も、左右の両刃（６ｂ）、（６ｃ）続いて、中心の（６ａ）と切り込みを入れていく事になる。
最初に用紙に接して切り込みを入れていく（６ｂ）と（６ｃ）の刃の場合であるが、両刃とも大きさは同じである。（６ｂ）の刃の場合は、刃自体の形状が中心の（６ａ）側の先端の部分だけが鋭角にとがらせてあり、なお且つ、（６ｂ）側の端から内側にかけて上りの滑らかな傾斜が付いているので外側の端の部分が一番低いことになる。また、（６ｃ）の刃の場合も、中心の（６ａ）側の先端の部分だけが鋭角にとがらせてあり、なお且つ、（６ｃ）側の端から内側にかけて滑らかな上りの傾斜が付いているので外側の端の部分が一番低いことになる。続いて切り込みを入れていく中心の（６ａ）の刃の場合は、両端の（６ｂ）、（６ｃ）側の先端の部分だけが鋭角にとがらせてあり、なお且つ、両端から、中心に向けて滑らかな上りの傾斜が付いているので中心部分が一番低いことになる。この様な刃の形状が、用紙に切り込みを入れていくのに一番抵抗が少なく、何より切り込みを入れる用紙に対して、損傷を与える事が最小限に押さえられ事が考えられるためである。
この様な順番で用紙に３ヵ所の切り込みが入る事になるが、刃の形状が違う３分割されたコの字型刃（６）で、（６ａ）と（６ｂ）、（６ａ）と（６ｃ）の間に２ヵ所隙間を空けてコの字型刃固定カバー（５）によって固定されているため、切り込みが入った用紙にも、２ヵ所の切断されていない部分が残ります。用紙に３ヵ所の切り込みが終わり、押さえ金具（３）から手を離すと、用紙押さえ金具（１３）が用紙作動用バネ（１２）により上に戻されると同時に、コの字型刃（６）も上にあがり、用紙押さえ金具（１３）によって用紙に掛けられていた圧力も無くなり、用紙切り込み作業が全て終了したことになります。
ここで、作業が全て終了し用紙押さえ金具（１３）に掛けられていた圧力が無くなり、用紙押さえ金具（１３）が上昇する前に、差し込まれた用紙を手で押さえ、その後用紙を取り出し、切り込みが入った場所で、２ヵ所の切断されていない部分が有り、その部分の取り除き処理するには、用紙に切り込みが入った部分を１から９ページまで順に、１枚づつ手でつまみ簡単に取り除き処理する事ができるようにし、これにより１から９ページまでを重ね１０ページ目の切り取られていないその部分に、見出し又はタイトルを記入することができるようにした。この一連の動きをする道具を用紙端除去具とする。
【図面の簡単な説明】
【０００７】
【図１】本発明の断面図
【図２】本発明の側面図
【図３】受け台を真上から見た図
【図４】コの字型刃と用紙押さえ金具がコの字型刃作動用シリンダーにセットされた斜面図
【図５】コの字型刃がコの字型刃固定カバーに固定された部分の正面図
【図６】コの字型刃固定カバーの正面図
【図７】コの字型刃の正面図
【図８】用紙作動用シリンダーに用紙作動用バネが巻かれた部分の正面図
【図９】用紙作動用シリンダーに用紙作動用バネが巻かれ用紙作動用シリンダーが下方に作動した部分の正面図
【図１０】用紙押さえ用シリンダー部分の正面図
【符号の説明】
【０００８】
１    受け台
２    支え金具
３    押さえ金具
４    中心シリンダー
５    コの字型刃固定カバー
６    コの字型刃
７    中心シリンダー止めリング
８    コの字型刃作動用シリンダー
９    用紙作動用シリンダー
１０  用紙押さえ用シリンダー
１１  用紙作動用シリンダー押さえ固定ピン
１２  用紙作動用バネ
１３  用紙押さえ金具
１４  用紙押さえゴム
１５  バネ押さえリング
１６  押さえ金具作動用シリンダー
１７  押さえ金具作動用バネ
１８  受け台滑り止め
【図１】
2009039799.tif 000003
【図２】
2009039799.tif 000004
【図３】
2009039799.tif 000005
【図４】
2009039799.tif 000006
【図５】
2009039799.tif 000007
【図６】
2009039799.tif 000008
【図７】
2009039799.tif 000009
【図８】
2009039799.tif 000010
【図９】
2009039799.tif 000011
【図１０】
2009039799.tif 000012